(57)【要約】補聴器デバイス（１００、１００ａ−ｂ）は、シェル部分（１０４）と、シェル部分に取り付けられたバッテリドアモジュール（２００、２００ａ−ｂ）とを備える。バッテリドアモジュールは、バッテリケーシング（２２１、２２１ａ−ｂ）と、電子機器ケーシング（２０８、２０８ａ−ｂ）とを備える。バッテリケーシングは、バッテリドアモジュールの縦軸（Ｌ）に対して実質的に垂直に延在するバッテリ軸（ＬＢＡＴ）を画定する、バッテリ（２０２）を受容する。電子機器ケーシングは、電圧調整器（２１６）、プリント回路基板アセンブリ（２１４）、および１つまたはそれを上回る充電要素（２２０、２２０ａ）の少なくとも一部を封入する。バッテリドアモジュールはまた、バッテリドアモジュールが補聴器デバイスのシェル部分に取り付けられることを可能にする、少なくとも１つの取付部材（２０４、２０６、２０６ａ−ｂ）も備える。
2017521928.tif 000002
【特許請求の範囲】
【請求項１】
補聴器デバイス（１００、１００ａ、１００ｂ）のバッテリドアモジュール（２００、２００ａ、２００ｂ）であって、
バッテリケーシング（２２１、２２１ａ−ｂ）がバッテリ（２０２）を受容するときに、前記バッテリドアモジュール（２００、２００ａ、２００ｂ）の縦軸（Ｌ）に対して実質的に垂直に延在するバッテリ軸（ＬＢＡＴ）を画定する、環状バッテリ（２０２）を受容するように構成される、バッテリケーシング（２２１、２２１ａ−ｂ）であって、前記バッテリ（２０２）は、
前記バッテリ（２０２）の出力端子（ＢＡＴＯＵＴ）に対応する第１の側面（２０２−１）と、
前記バッテリ（２０２）の第１の側面（２０２−１）とは反対の側に配置され、前記バッテリケーシング（２２１、２２１ａ、２２１ｂ）によって少なくとも部分的に封入される、第２の側面（２０２−２）であって、前記バッテリ（２０２）の負端子（ＢＡＴ−）に対応する、第２の側面（２０２−２）と、
前記第１の側面（２０２−１）と前記第２の側面（２０２−２）との間に延在する前記バッテリ（２０２）の外周を画定する、円周方向側壁（２０２−３）であって、前記バッテリ（２０２）の正端子（ＢＡＴ＋）に対応する、側壁（２０２−３）と、
を備える、バッテリケーシング（２２１、２２１ａ−ｂ）と、
電圧調整器（２１６）、プリント回路基板アセンブリ（２１４）、および１つまたはそれを上回る充電要素（２２０、２２０ａ）の少なくとも一部を封入する、電子機器ケーシング（２０８、２０８ａ−ｂ）と、
前記バッテリケーシング（２２１、２２１ａ−ｂ）または前記電子機器ケーシング（２０８、２０８ａ−ｂ）のうちの少なくとも１つの上に配置され、前記バッテリドアモジュール（２００、２００ａ、２００ｂ）が前記補聴器デバイス（１００、１００ａ、１００ｂ）のシェル部分（１０４）に取り付けられることを可能にする、少なくとも１つの取付部材（２０４、２０６、２０６ａ−ｂ）であって、前記バッテリドアモジュール（２００、２００ａ、２００ｂ）は、開放位置と閉鎖位置との間で前記シェル部分（１０４）に対して移動可能である、取付部材（２０４、２０６、２０６ａ−ｂ）と、
を備える、バッテリドアモジュール（２００、２００ａ、２００ｂ）。
【請求項２】
前記少なくとも１つの取付部材（２０４、２０６、２０６ａ−ｂ）は、前記バッテリドアモジュール（２００、２００ａ、２００ｂ）が前記閉鎖位置にあるときに、前記補聴器デバイス（１００、１００ａ、１００ｂ）の前記シェル部分（１０４）に接続する、第１の取付部材（２０４）を備える、請求項１に記載のバッテリドアモジュール（２００、２００ａ、２００ｂ）。
【請求項３】
前記少なくとも１つの取付部材（２０４、２０６、２０６ａ−ｂ）は、前記補聴器デバイス（１００、１００ａ、１００ｂ）の前記シェル部分（１０４）によって回転可能に支持され、前記開放位置と前記閉鎖位置との間で前記シェル部分（１０４）に対して前記バッテリドアモジュール（２００、２００ａ、２００ｂ）の移動を可能にする、第２の取付部材（２０６、２０６ａ−ｂ）を備える、前記請求項のいずれかに記載のバッテリドアモジュール（２００、２００ａ、２００ｂ）。
【請求項４】
前記補聴器デバイス（１００、１００ａ、１００ｂ）の前記シェル部分（１０４）は、マイクロホン、信号プロセッサ、音声増幅器、電気回路、またはスピーカのうちの少なくとも１つを備える、電気構成要素（１０８）を封入する、前記請求項のいずれかに記載のバッテリドアモジュール（２００、２００ａ、２００ｂ）。
【請求項５】
前記プリント回路基板アセンブリ（２１４）および前記充電要素（２２０、２２０ａ）は、前記バッテリドアモジュール（２００、２００ａ、２００ｂ）が前記閉鎖位置にあるときに前記シェル部分（１０４）の外側に存在する、前記請求項のいずれかに記載のバッテリドアモジュール（２００、２００ａ、２００ｂ）。
【請求項６】
前記バッテリケーシング（２２１、２２１ａ−ｂ）は、
前記バッテリケーシング（２２１、２２１ａ−ｂ）が前記バッテリ（２０２）を受容するときに、前記バッテリ（２０２）の前記外周に適合し、前記側壁（２０２−３）の一部を封入する、湾曲外形を有する、バッテリカバー部分（２２２、２２２ａ−ｂ）と、
前記バッテリケーシング（２２１、２２１ａ−ｂ）が前記バッテリ（２０２）を受容するときに、前記バッテリ軸（ＬＢＡＴ）と実質的に同軸であり、前記第２の側面（２０２−２）に対向する、保定部分（２２４、２２４ａ−ｂ）であって、少なくとも前記第２の側面（２０２−２）の直径に等しい外径と、前記バッテリ（２０２）の前記第２の側面（２０２−２）の内面を露出する開口（２２５、２２５ａ−ｂ）を画定する内径とを含む、保定部分（２２４、２２４ａ−ｂ）と、
を備える、前記請求項のいずれかに記載のバッテリドアモジュール（２００、２００ａ、２００ｂ）。
【請求項７】
前記バッテリ（２０２）は、低減電圧バッテリおよび増加電圧バッテリのうちのいずれか一方を備える、前記請求項のいずれかに記載のバッテリドアモジュール（２００、２００ａ、２００ｂ）。
【請求項８】
前記プリント回路基板アセンブリ（２１４）は、複数の接触要素（２１２、２３２、２３４）を備え、各接触要素（２１２、２３２、２３４）は、前記プリント回路基板アセンブリと、前記バッテリ（２０２）の前記負および正端子（ＢＡＴ−、ＢＡＴ＋）のうちの対応する１つと、前記プリント回路基板アセンブリ（２１４）からの調整された出力電圧（ＶＯＵＴ）と関連付けられる前記バッテリ（２０２）の前記出力端子（ＢＡＴＯＵＴ）との間で電圧を伝導させるように構成される、前記請求項のいずれかに記載のバッテリドアモジュール（２００、２００ａ、２００ｂ）。
【請求項９】
前記プリント回路基板アセンブリ（２１４）および前記電圧調整器（２１６）は、前記接触要素（２１２、２３２、２３４）のうちの少なくとも１つが前記バッテリ（２０２）から電気的に断絶されるときに、前記バッテリ（２０２）による給電を断たれる、請求項８に記載のバッテリドアモジュール（２００、２００ａ、２００ｂ）。
【請求項１０】
前記バッテリ（２０２）から伝導される電圧は、前記接触要素（２１２、２３２、２３４）の全てが前記バッテリ（２０２）に電気的に接続され、前記バッテリ（２０２）の前記正端子（ＢＡＴ＋）が前記バッテリ（２０２）の前記出力端子（ＢＡＴＯＵＴ）に電気的に接続されるときに、前記電圧調整器（２１６）を迂回する、請求項８に記載のバッテリドアモジュール（２００、２００ａ、２００ｂ）。
【請求項１１】
前記複数の接触要素（２１２、２３２、２３４）のうちの少なくとも１つは、金めっきが施される、請求項８〜１０のいずれか１項に記載のバッテリドアモジュール（２００、２００ａ、２００ｂ）。
【請求項１２】
前記電子機器ケーシング（２０８、２０８ａ−ｂ）は、キー特徴（２３５）を画定し、前記キー特徴（２３５）は、前記バッテリ（２０２）の前記負端子（ＢＡＴ−）、前記正端子（ＢＡＴ＋）、および前記出力端子（ＢＡＴＯＵＴ）と関連付けられる電圧を相互から隔離するように構成される、キー絶縁体（２３６）を受容する、前記請求項のいずれかに記載のバッテリドアモジュール（２００、２００ａ、２００ｂ）。
【請求項１３】
前記キー絶縁体（２３６）は、
第１の伝導ストリップ（６３２）を受容するように構成される、第１の絶縁チャネル（６４２）であって、前記第１の伝導ストリップ（６３２）は、前記バッテリ（２０２）の前記負端子（ＢＡＴ−）と前記プリント回路基板アセンブリ（２１４）との間で電圧を伝導させる、第１の絶縁チャネル（６４２）と、
前記第１の絶縁チャネル（６４２）と実質的に平行に延在し、第２の伝導ストリップ（６３４）を受容するように構成される、第２の絶縁チャネル（６４４）であって、前記第２の伝導ストリップ（６３４）は、前記プリント回路基板アセンブリ（２１４）から前記バッテリ（２０２）の前記出力端子（ＢＡＴＯＵＴ）に調整された出力電圧（ＶＯＵＴ）を提供する、第２の絶縁チャネル（６４４）と、
を備える、請求項１２に記載のバッテリドアモジュール（２００、２００ａ、２００ｂ）。
【請求項１４】
前記第１および第２の伝導ストリップ（６３２、６３４）は、ニッケル、ニッケル合金、もしくは金を含む、１つまたはそれを上回る材料から形成される、請求項１３に記載のバッテリドアモジュール（２００、２００ａ、２００ｂ）。
【請求項１５】
前記バッテリ（２０２）の前記第１の側面（２０２−１）および前記バッテリ（２０２）の前記側壁（２０２−３）の一部を封入する、絶縁体キャップ（３０２）をさらに備え、前記絶縁体キャップ（３０２）は、前記絶縁体キャップ（３０２）によって封入される前記側壁２０２−３の前記一部と関連付けられる場所で伝導端子（６３２ａ、６３２ｂ）に接触し、前記プリント回路基板アセンブリ（２１４）から前記バッテリ（２０２）の前記出力端子（ＢＡＴＯＵＴ）への調整された出力電圧（ＶＯＵＴ）が、前記絶縁体キャップ（３０２）によって封入されていない前記側壁（２０２−３）の残りの部分において前記バッテリ（２０２）の前記正端子（ＢＡＴ＋）に接触することを防止するように構成される、請求項１〜１１のいずれか１項に記載のバッテリドアモジュール（２００、２００ａ、２００ｂ）。
【請求項１６】
前記１つまたはそれを上回る充電要素（２２０、２２０ａ）のそれぞれは、前記シェル部分（１０４）から前記バッテリドアモジュール（２００、２００ａ、２００ｂ）を除去する必要なく、外部充電器（９００）による前記バッテリ（２０２）の充電を可能にする、前記バッテリドアモジュール（２００、２００ａ、２００ｂ）から露出される先端部分を含む、前記請求項のいずれかに記載のバッテリドアモジュール（２００、２００ａ、２００ｂ）。
【請求項１７】
前記電子機器ケーシング（２０８、２０８ａ−ｂ）は、前記充電要素（２２０、２２０ａ）を完全に封入する、請求項１〜１５のいずれか１項に記載のバッテリドアモジュール（８００）。
【請求項１８】
前記充電要素（２２０、２２０ａ）は、前記電子機器ケーシング（２０８、２０８ａ−ｂ）の中へ延在する外部充電器（９００）の充電接点に電気的に接続して、前記バッテリ（２０２）を充電するように構成される、請求項１７に記載のバッテリドアモジュール（２００、２００ａ、２００ｂ）。
【請求項１９】
前記充電要素（２２０、２２０ａ）は、外部充電器（９００）に無線で接続して前記バッテリ（２０２）を充電するように構成される、請求項１〜１７のいずれか１項に記載のバッテリドアモジュール（２００、２００ａ、２００ｂ）。
【請求項２０】
前記１つまたはそれを上回る充電要素（２２０、２２０ａ）は、充電事象中に前記バッテリ（２０２）を充電するように、充電電圧を前記プリント回路基板アセンブリ（２１４）に提供する、前記請求項のいずれかに記載のバッテリドアモジュール（２００、２００ａ、２００ｂ）。
【請求項２１】
前記バッテリケーシング（２２１、８２１）が前記バッテリ（２０２）を受容するときに、前記バッテリ軸（ＬＢＡＴ）と実質的に同軸であり、前記バッテリ（２０２）の前記第１の側面（２０２−１）に電気的に接続される、第１の伝導ディスク（６５２）をさらに備え、前記第１の伝導ディスク（６５２）は、前記プリント回路基板アセンブリ（２１４）から前記第１の側面（２０２−１）における前記バッテリ（２０２）の前記出力端子（ＢＡＴＯＵＴ）に調整された出力電圧（ＶＯＵＴ）を提供する、前記請求項のいずれかに記載のバッテリドアモジュール（２００、２００ａ、２００ｂ）。
【請求項２２】
前記バッテリ（２０２）の前記出力端子（ＢＡＴＯＵＴ）に提供される前記調整された出力電圧（ＶＯＵＴ）が、前記側壁（２０２−３）における前記バッテリ（２０２）の前記正端子（ＢＡＴ＋）に接触することを防止するように、前記第１の側面（２０２−１）において前記第１の伝導ディスク（６５２）と前記バッテリ（２０２）との間に配置される、絶縁ディスク（６６２）をさらに備える、請求項２１に記載のバッテリドアモジュール（２００、２００ａ、２００ｂ）。
【請求項２３】
前記電圧調整器（２１６）は、前記バッテリ（２０２）から供給される入力電圧（ＶＩＮ）の規模に基づいて、前記バッテリ（２０２）が増加電圧バッテリまたは低減電圧バッテリであるかどうかを判定する、前記請求項のいずれかに記載のバッテリドアモジュール（２００、２００ａ、２００ｂ）。
【請求項２４】
前記電圧調整器（２１６）は、前記補聴器デバイス（１００、１００ａ、１００ｂ）に給電するための結果として生じる出力電圧（ＶＯＵＴ）が最大出力電圧（Ｖｏｕｔ＿ｍａｘ）を超えないことを確実にするように、前記バッテリ（２０２）が増加電圧バッテリであるときに、前記バッテリ（２０２）から供給される前記入力電圧（ＶＩＮ）の規模を低減させる、請求項２０に記載のバッテリドアモジュール（２００、２００ａ、２００ｂ）。
【請求項２５】
前記補聴器デバイス（１００、１００ａ、１００ｂ）に給電する前記バッテリ（２０２）の出力電圧（ＶＯＵＴ）から前記充電要素（２２０、２２０ａ）を遮断する、リードスイッチ（２１８）またはスイッチデバイス（２５０）をさらに備える、前記請求項のいずれかに記載のバッテリドアモジュール（２００、２００ａ、２００ｂ）。
【請求項２６】
補聴器デバイス（１００、１００ａ、１００ｂ）を組み立てるための方法であって、
環状バッテリ（２０２）を受容するように構成されるバッテリケーシング（２２１、２２１ａ−ｂ）と、電圧調整器（２１６）、プリント回路基板アセンブリ（２１４）、および１つまたはそれを上回る充電要素（２２０、２２０ａ）の少なくとも一部を封入する、電子機器ケーシング（２０８、２０８ａ−ｂ）とを備える、バッテリドアモジュール（２００、２００ａ、２００ｂ）を提供するステップと、
電気構成要素（１０８）を封入するシェル部分（１０４）に前記バッテリドアモジュール（２００、２００ａ、２００ｂ）を取り付けるステップと、
を含む、方法。
【請求項２７】
前記バッテリドアモジュール（２００、２００ａ、２００ｂ）を前記シェル部分（１０４）に取り付けるステップは、前記バッテリケーシング（２２１、２２１ａ−ｂ）または前記電子機器ケーシング（２０８、２０８ａ−ｂ）のうちの少なくとも１つの上に配置される少なくとも１つの取付部材（２０４、２０６、２０６ａ−ｂ）を前記シェル部分（１０４）に接続するステップを含む、請求項２６に記載の方法。
【発明の詳細な説明】
【技術分野】
【０００１】
（関連出願の相互参照）
本願は、２０１４年９月１０日に出願された米国仮出願第６２／０４８，４６５号および２０１４年６月１８日に出願された第６２／０１３，６０６号の利益を主張するものである。これらの刊行物の両方は、それらの全体が参照により本明細書中に援用される。
【０００２】
本発明は、バッテリ式補聴器デバイスに関する。より具体的には、本発明は、補聴器デバイスのバッテリドアモジュールに関する。
【背景技術】
【０００３】
補聴器は、人間の難聴を軽減することが知られている電子デバイスである。概して、補聴器は、１つまたはそれを上回るマイクロホンを使用して、環境から音を捕捉し、補聴器の処方に従って、捕捉された音を電子的に増幅する。増幅された信号のデジタル表現は、そのユーザに知覚可能な音波を生成するための補聴器の出力変換器を駆動するために好適な電気信号に戻るよう変換される。
【０００４】
殆どの従来の補聴器は、亜鉛空気バッテリ等の単回使用（例えば、使い捨て）バッテリまたはボタン電池によって給電される。実際に、これらの補聴器内の敏感な電子機器は、単回使用バッテリとともに使用するために特異的に設計されている。例えば、電子機器は、単回使用バッテリの電圧に適応し、または耐え、そこから電流を放電するように設計されている。
【０００５】
亜鉛空気バッテリおよび他の使い捨てバッテリ等の単回使用バッテリは、満足なエネルギー密度および比較的安価な生産費用を保有するが、これらのバッテリは、単回使用であり、いったん消耗されると交換されなければならない。補聴器ユーザは、補聴器の耐用期間中に何度も使用済み補聴器バッテリを交換しなければならない。したがって、単一の補聴器バッテリは、頻繁に交換されなければならず、バッテリ費用を集約するため、バッテリの比較的低い費用の利点が失われる。そして、これらのバッテリの小さいサイズは、バッテリを取り扱い、補聴器の中の使用済みバッテリを交換することを困難にし得る。
【０００６】
再充電可能バッテリまたはボタン電池は、再充電可能および再利用可能であるという利益を提供する。しかしながら、補聴器の中の電子機器が、より低い電圧の単回使用バッテリとともに使用するために設計されているため、再充電可能バッテリ（例えば、銀亜鉛およびリチウム系バッテリ）からの電圧または放電電流は、これらの電子機器と互換性がない。例えば、一般的な亜鉛空気補聴器バッテリは、典型的には、負荷を受けて約１．４５Ｖの最大電圧を含み、好適に定寸された再充電可能銀亜鉛バッテリは、負荷を受けて約１．８６Ｖまたはそれを上回る最大電圧を保有し得る。再充電可能銀亜鉛バッテリに対応する本最大電圧は、補聴器内の既存の電子機器の電圧閾値を超え得る。したがって、好適に定寸された再充電可能バッテリとの単回使用バッテリの単純な交換は、補聴器の敏感な電子機器を損傷する危険性がある。
【発明の概要】
【課題を解決するための手段】
【０００７】
本発明は、補聴器デバイス用のバッテリドアモジュールを提供する。モジュールは、バッテリケーシングがバッテリを受容するときに、バッテリドアモジュールの縦軸に対して実質的に垂直に延在するバッテリ軸を画定する、環状バッテリを受容するように構成される、バッテリケーシングを含む。バッテリは、バッテリの出力端子に対応する第１の側面と、バッテリの第１の側面とは反対の側に配置され、バッテリケーシングによって少なくとも部分的に封入される、第２の側面とを含む。第２の側面は、バッテリの負端子に対応する。バッテリはまた、第１の側面と第２の側面との間に延在するバッテリの外周を画定する、円周方向側壁も含む。側壁は、バッテリの正端子に対応する。モジュールはさらに、電圧調整器、プリント回路基板アセンブリ、および２つの充電要素の少なくとも一部を封入する、電子機器ケーシングを含む。モジュールはまた、バッテリケーシングまたは電子機器ケーシングのうちの少なくとも１つの上に配置され、バッテリドアモジュールが補聴器デバイスのシェル部分に取り付けられることを可能にする、少なくとも１つの取付部材も含む。バッテリドアモジュールは、開放位置と閉鎖位置との間でシェル部分に対して移動可能である。
【０００８】
本発明の実施形態は、以下の随意の特徴のうちの１つまたはそれを上回るものを含んでもよい。いくつかの実施形態では、少なくとも１つの取付部材は、バッテリドアモジュール）が閉鎖位置にあるときに、補聴器デバイスのシェル部分に接続する、第１の取付具を含む。少なくとも１つの取付部材はまた、補聴器デバイスのシェル部分によって回転可能に支持され、開放位置と閉鎖位置との間でシェル部分に対してバッテリドアモジュールの移動を可能にする、第２の取付部材を含んでもよい。補聴器デバイスのシェル部分は、マイクロホン、信号プロセッサ、音声増幅器、電気回路、またはスピーカのうちの少なくとも１つを含む、電気構成要素を封入してもよい。プリント回路基板アセンブリおよび充電要素は、バッテリドアモジュールが閉鎖位置にあるときにシェル部分の外側に存在してもよい。
【０００９】
いくつかの実施例では、バッテリケーシングは、バッテリカバー部分と、保定部分とを含んでもよい。バッテリカバー部分は、バッテリケーシングがバッテリを受容するときに、バッテリの外周に適合し、側壁の少なくとも一部を封入する、湾曲外形を有する。保定部分は、バッテリケーシングがバッテリを受容するときに、バッテリ軸と実質的に同軸であり、第２の側面に対向する。保定部分はさらに、少なくとも第２の側面の直径に等しい外径と、バッテリの第２の側面の内面を露出する開口を画定する内径とを含んでもよい。バッテリは、低減電圧バッテリおよび増加電圧バッテリのうちのいずれか一方であってもよい。
【００１０】
プリント回路基板アセンブリはさらに、複数の接触要素を含んでもよい。各接触要素は、プリント回路基板アセンブリと、バッテリの負および正端子のうちの対応する１つと、プリント回路基板アセンブリからの調整された出力電圧と関連付けられるバッテリの出力端子との間で電圧を伝導させるように構成される。プリント回路基板アセンブリおよび電圧調整器は、接触要素のうちの少なくとも１つがバッテリから電気的に断絶されるときに、バッテリによる給電を断たれる。バッテリから伝導される電圧は、接触要素の全てがバッテリに電気的に接続され、バッテリの正端子がバッテリの出力端子に電気的に接続されるときに、電圧調整器を迂回する。複数の接触要素のうちの少なくとも１つは、金めっきが施されてもよい。
【００１１】
いくつかの実施形態では、電子機器ケーシングは、キー特徴を画定する。キー特徴は、バッテリの負端子、正端子、および出力端子と関連付けられる電圧を相互から隔離するように構成される、キー絶縁体を受容する。キー絶縁体は、第１の伝導ストリップを受容するように構成される、第１の絶縁チャネルを含んでもよい。第１の伝導ストリップは、バッテリの負端子とプリント回路基板アセンブリとの間で電圧を伝導させる。キー絶縁体はさらに、第１の絶縁チャネルと実質的に平行に延在し、第２の伝導ストリップを含み、第２の伝導ストリップを受容するように構成される。第２の伝導ストリップは、プリント回路基板アセンブリからバッテリの出力端子に調整された出力電圧（ＶＯＵＴ）を提供する。第１および第２の伝導ストリップは、１つまたはそれを上回る導電性材料（例えば、ニッケル、金、銀、銅、それらの合金、または同等物）から形成されてもよい。
【００１２】
いくつかの実施例では、絶縁体キャップは、バッテリの第１の側面およびバッテリの側壁の一部を封入する。これらの実施例では、絶縁体キャップは、絶縁体キャップによって封入される側壁の一部と関連付けられる場所で伝導端子に接触し、プリント回路基板アセンブリからバッテリの出力端子への調整された出力電圧が、絶縁体キャップによって封入されていない側壁の残りの部分においてバッテリの正端子に接触することを防止するように構成される。
【００１３】
いくつかの実施例では、２つの充電要素のそれぞれは、シェル部分からバッテリドアモジュールを除去する必要なく、外部充電器によるバッテリの充電を可能にする、バッテリドアモジュールから露出される先端部分を含む。電子機器ケーシングは、充電要素を完全に封入してもよい。充電要素はさらに、電子機器ケーシングの中へ延在する外部充電器の充電接点に電気的に接続して、バッテリを充電するように構成されてもよい。充電要素はさらに、外部充電器に無線で接続してバッテリを充電するように構成されてもよい。いくつかの実施例では、２つの充電要素は、充電事象中にバッテリを充電するように、充電電圧をプリント回路基板アセンブリに提供する。
【００１４】
バッテリドアモジュールはまた、バッテリ軸と実質的に同軸であり、バッテリケーシングがバッテリを受容するときに、バッテリの第１の側面に電気的に接続される、第１の伝導ディスクを含んでもよい。第１の伝導ディスクは、プリント回路基板アセンブリから第１の側面におけるバッテリの出力端子に調整された出力電圧を提供する。モジュールはさらに、バッテリの出力端子に提供される調整された出力電圧が、側壁におけるバッテリの正端子に接触することを防止するように、第１の側面において第１の伝導ディスクとバッテリとの間に配置される、絶縁ディスクを含んでもよい。
【００１５】
電圧調整器は、バッテリから供給される入力電圧の規模に基づいて、バッテリが増加電圧バッテリまたは低減電圧バッテリであるかどうかを判定してもよい。電圧調整器はまた、補聴器デバイスに給電するための結果として生じる出力電圧が最大出力電圧を超えないことを確実にするように、バッテリが増加電圧バッテリであるときに、バッテリから供給される入力電圧の規模を低減させるステップを含んでもよい。リードスイッチは、補聴器デバイスに給電するバッテリの出力電圧から充電要素を遮断してもよい。
【００１６】
本開示の別の側面は、補聴器デバイスを組み立てるための方法を提供する。本方法は、環状バッテリを受容するように構成されるバッテリケーシングと、電圧調整器、プリント回路基板アセンブリ、および１つまたはそれを上回る充電ピンの少なくとも一部を封入する、電子機器ケーシングとを含む、バッテリドアモジュールを提供するステップを含む。本方法はさらに、電気構成要素を封入するシェル部分にバッテリドアモジュールを取り付けるステップを含む。
【００１７】
本側面は、以下の随意の特徴のうちの１つまたはそれを上回るものを含んでもよい。バッテリドアモジュールは、バッテリケーシングまたは電子機器ケーシングのうちの少なくとも１つの上に配置される少なくとも１つの取付部材をシェル部分に接続することによって、シェル部分に取り付けられてもよい。
【００１８】
本開示の１つまたはそれを上回る実施形態の詳細は、添付図面および以下の説明に記載される。他の側面、特徴、および利点は、説明および図面から、ならびに請求項から明白となるであろう。
【図面の簡単な説明】
【００１９】
【図１】図１は、本発明の一実施形態による、シェル部分と、バッテリドアモジュール（ＢＤＭ）とを含む、バッテリ式補聴器デバイスの斜視図である。
【図２Ａ】図２Ａおよび２Ｂは、図１のＢＤＭの側面および斜視図である。
【図２Ｂ】図２Ａおよび２Ｂは、図１のＢＤＭの側面および斜視図である。
【図３】図３は、本発明の一実施形態による、ＢＤＭの概略図である。
【図４】図４は、本発明の一実施形態による、電圧調整回路の概略図である。
【図５】図５は、図４の電圧調整回路を実装するためのプリント回路基板アセンブリ（ＰＣＢＡ）の実施例の概略図である。
【図６】図６Ａおよび６Ｂは、本発明による、図１のＢＤＭの環状バッテリおよびプラスチックキー絶縁体の側面図である。
【図７】図７は、本開示による、図１のＢＤＭの環状バッテリおよびプラスチックキー絶縁体の斜視図である。
【図８Ａ】図８Ａ−８Ｃは、本発明の一実施形態による、ＢＤＭの斜視図を図示する。
【図８Ｂ】図８Ａ−８Ｃは、本発明の一実施形態による、ＢＤＭの斜視図を図示する。
【図８Ｃ】図８Ａ−８Ｃは、本発明の一実施形態による、ＢＤＭの斜視図を図示する。
【図９】図９は、本発明の一実施形態による、シェル部分およびＢＤＭを含む、バッテリ式補聴器デバイスの斜視図である。
【図１０】図１０は、図９のＢＤＭの斜視図である。
【図１１】図１１は、絶縁体キャップおよび絶縁体によって部分的に封入されたバッテリの斜視図である。
【図１２】図１２は、図９のバッテリ、絶縁体キャップ、および絶縁体の分解図である。
【図１３】図１３−１４は、図１０のバッテリを受容する図９のＢＤＭの斜視図である。
【図１４】図１３−１４は、図１０のバッテリを受容する図９のＢＤＭの斜視図である。
【図１５】図１５は、図９のＢＤＭの電子機器ケーシングの分解図である。
【図１６】図１６は、図９のＢＤＭの斜視図である。
【図１７】図１７は、本発明の一実施形態による、シェル部分およびＢＤＭを含む、バッテリ式補聴器デバイスの斜視図である。
【図１８】図１８および１９は、図１７のＢＤＭの斜視図である。
【図１９】図１８および１９は、図１７のＢＤＭの斜視図である。
【図２０】図２０は、本発明の一実施形態による、再充電可能バッテリの充電を促進するように補聴器デバイスを受容する、外部充電器の斜視図を示す。
【発明を実施するための形態】
【００２０】
種々の図面中の類似参照記号は、類似要素を示す。
【００２１】
これらの図は、実施例として提供され、請求された発明の範囲を限定することを意図していない。
【００２２】
図１を参照すると、斜視図は、バッテリ式補聴器デバイス１００を示す。補聴器デバイス１００は、イヤピース１０２と、シェル部分１０４と、縦軸Ｌを画定するバッテリドアモジュール（ＢＤＭ）２００とを含む。シェル部分１０４は、限定されないが、マイクロホン、信号プロセッサ、音声増幅器、関連電気回路、およびスピーカまたは他の音声出力デバイス等の電気構成要素１０８を封入してもよい。ＢＤＭ２００の縦軸Ｌから離れて角度を付けられる、シェル部分１０４の第１の端部１０３は、補聴器デバイス１００をユーザの耳に固着するためのイヤピース１０２に連結されてもよい。シェル部分１０４の第２の端部１０５は、ＢＤＭ２００に取り付けられてもよい。示される実施例では、シェル部分１０４およびイヤピース１０２は、補聴器デバイス１００に対応し、そこで、ＢＤＭ２００は、補聴器デバイスに取り付けられるように構成される。ＢＤＭ２００は、シェル部分１０４内の電気構成要素１０８に給電するためのバッテリ２０２（図２Ａおよび２Ｂ）を受容してもよい。いくつかの実施形態では、ＢＤＭ２００は、シェル部分１０４からＢＤＭ２００を除去する、および／またはＢＤＭ２００からバッテリ２０２を除去する必要なく、バッテリ２０２の再充電能力を提供する。例えば、ＢＤＭが補聴器のシェル部分に取り付けられるとき、シェル部分およびＢＤＭを含む、補聴器デバイスは、一体デバイスとして、すなわち、ＢＤＭからバッテリを除去すること、または補聴器からＢＤＭを除去することなく、再充電デバイスの中に配置されることができる。ＢＤＭは、バッテリ２０２をＢＤＭに挿入する、またはＢＤＭからバッテリ２０２を除去するための開放位置の間でシェル部分１０４に対して移動可能であり得る。図１は、シェル部分１０４に対して閉鎖位置にあるＢＤＭを示す。いくつかの実施形態では、ＢＤＭは、閉鎖位置から開放位置にＢＤＭを移動させるようにヒンジ枢動軸２０７の周囲で（例えば、反時計回りに）回転してもよい。
【００２３】
図２Ａおよび２Ｂを参照すると、いくつかの実施形態では、ＢＤＭ２００は、電子機器ケーシング２０８と、バッテリケーシング２２１とを含む。バッテリケーシング２２１は、シェル部分１０４の第２の端部１０５と電子機器ケーシング２０８との間に配置されてもよい。いくつかの実施例では、電子機器ケーシング２０８は、バッテリケーシング２２１と一体であり得る。他の実施例では、電子機器ケーシング２０８およびバッテリケーシング２２１は、ＢＤＭを形成するように相互に接続する、別個の構成要素である。バッテリケーシング２２１は、バッテリ軸ＬＢＡＴを画定するバッテリ２０２を受容するように構成されてもよい。バッテリケーシング２２１がバッテリ２０２を受容するとき、バッテリ軸ＬＢＡＴは、ＢＤＭの縦軸Ｌに対して実質的に垂直に延在する。
【００２４】
ＢＤＭ２００は、ＢＤＭがシェル部分１０４に取り付けられることを可能にする、バッテリケーシング２２１または電子機器ケーシング２０８のうちの少なくとも１つの上に配置される、少なくとも１つの取付部材２０４、２０６を含んでもよい。いくつかの実施形態では、バッテリケーシング２２１の上に配置される第１の取付部材２０４は、ＢＤＭが閉鎖位置にあるときに、シェル部分１０４に接続する。加えて、または代替として、ＢＤＭは、ＢＤＭが開放位置と閉鎖位置との間でシェル部分１０４に対して移動することを可能にするように、シェル部分１０４によって回転可能に支持される、第２の取付部材２０６を含んでもよい。例えば、ピンは、ヒンジ枢動軸２０７の周囲で第２の取付部材２０６を回転可能に支持してもよい。
【００２５】
いくつかの実施形態では、ＢＤＭ２００は、低減電圧バッテリ（例えば、使い捨てバッテリ（例えば、亜鉛空気使い捨てバッテリ、アルカリ二酸化マンガンバッテリ、または他の使い捨てバッテリ）および増加電圧バッテリ（例えば、再充電可能バッテリ（例えば、再充電可能銀亜鉛またはリチウムイオンバッテリ）もしくは増加電圧使い捨てバッテリ）のうちのいずれか一方を受け入れるように構成される。いくつかの実施例では、低減電圧バッテリは、約１．６Ｖまたはそれ未満（例えば、約０．７５Ｖ〜約１．６Ｖもしくは約１．４５Ｖ〜約１．５５Ｖ）の最大開回路電圧を有する。他の実施例では、増加電圧バッテリは、約１．６Ｖを上回る（例えば、約１．６Ｖ〜約３．０Ｖまたは約１．６５Ｖ〜約２．５Ｖ）の負荷を受けて最大電圧を有する。例えば、バッテリ２０２は、亜鉛空気バッテリ、アルカリ二酸化マンガンバッテリ、またはニッケル水素（ＮｉＭＨ）バッテリを含むことができる、低減電圧バッテリであってもよいか、もしくはバッテリ２０２は、銀亜鉛バッテリまたはリチウムイオンバッテリを含むことができる、増加電圧バッテリであってもよい。亜鉛空気バッテリは、概して、再充電不可能である。ＮｉＭＨ、リチウムイオン、および銀亜鉛バッテリは、概して、再充電可能である。以降で、低減電圧バッテリは、単純に、亜鉛空気バッテリと称され、増加電圧バッテリは、単純に、銀亜鉛バッテリと称されるであろうが、電圧閾値を超えない任意のバッテリタイプは、「低減電圧バッテリ」を示し、電圧閾値を超える任意のバッテリタイプは、「増加電圧バッテリ」を示す。
【００２６】
示される実施例では、バッテリ２０２は、第１の側面２０２−１と、バッテリ２０２の第１の側面２０２−１とは反対の側に配置される第２の側面２０２−２と、第１の側面２０２−１と第２の側面２０２−２との間に延在するバッテリ２０２の外周を画定する円周方向側壁２０２−３とを含んでもよい。いくつかの実施形態では、第１の側面２０２−１は、出力端子（ＢＡＴＯＵＴ）に対応し、第２の側面２０２−２は、負端子（ＢＡＴ−）に対応し、側壁２０２−３は、正端子（ＢＡＴ＋）に対応する。いくつかの実施形態では、バッテリケーシング２２１は、サイズ１３および３１２バッテリのうちのいずれか一方を受容するように構成される。他の実施形態では、別個のバッテリケーシング２２１が、サイズ１３および３１２バッテリのうちの対応するものを受容するために設計されてもよい。
【００２７】
いくつかの実施形態では、バッテリケーシング２２１は、バッテリカバー部分２２２と、保定部分２２４とを含む。バッテリカバー部分２２２は、バッテリケーシング２２１がバッテリ２０２を受容するときに、バッテリ２０２の外周に適合し、側壁２０２−３の一部を封入する、湾曲外形を含んでもよい。いくつかの実施例では、カバー部分２２２は、電子機器ケーシング２０８に接続する。他の実施例では、カバー部分２２２は、電子機器ケーシング２０８と一体的に形成される。いくつかの実施形態では、カバー部分２２２は、カバー部分２２２および電子機器ケーシング２０８が交差する領域に近接する点２２３において、またはその周囲で、屈曲して枢動するように、一体ヒンジとして動作するか、もしくはそれを備える。例えば、カバー部分２２２は、バッテリ２０２の側壁２０２−３の一部がその中に封入されている間に、上向きに屈曲または枢動させられてもよい。逆に、カバー部分２２２は、バッテリ２０２が保定部分２２４から離れた方向に除去されるときに、弛緩状態まで下向きに弾かれてもよい。
【００２８】
保定部分２２４は、バッテリ軸ＬＢＡＴと実質的に同軸であり、バッテリケーシング２２１がバッテリ２０２を受容するときに第２の側面２０２−２に対向して配置される、ディスクを含んでもよい。いくつかの実施例では、保定部分２２４は、少なくとも第２の側面２０２−２の直径に等しい外径と、バッテリ２０２の第２の側面２０２−２の内面を露出する開口２２５を画定する内径とを含む。したがって、第２の側面２０２−２におけるバッテリ２０２の外径は、保定部分２２４によって封入され、それによって、ユーザの指による第２の側面２０２−２におけるバッテリ２０２へのアクセスを制限する。逆に、バッテリ２０２の第１の側面２０２−１は、バッテリ２０２が自由にＢＤＭ２００に挿入され、またはそこから除去されることを可能にするように、完全に露出されてもよい。
【００２９】
いくつかの実施形態では、電子機器ケーシング２０８は、電圧調整器２１６、プリント回路基板アセンブリ（ＰＣＢＡ）２１４、リードスイッチ２１８、および充電要素２２０の少なくとも一部のうちの１つまたはそれを上回るものを含む、電力管理構成要素を封入する。いくつかの実施例では、充電要素２２０が、充電ピンを含む一方で、他の実施例では、充電要素２２０は、充電パッドを含む。いくつかの実施例では、充電要素２２０は、無線充電用の電気コイルまたはアンテナを含む。いくつかの実施形態では、電圧調整器２１６は、既存の補聴器デバイス１００のシェル部分１０４内の電気構成要素１０８に給電するバッテリ２０２からの出力電圧（ＶＯＵＴ）を調整するための電圧調整回路５００（図４）を提供するように、ＰＣＢＡ２１４上に特定用途向け集積回路（ＡＳＩＣ）を伴って実装される。したがって、電圧調整器２１６は、バッテリ２０２が増加電圧バッテリ２０２であるときに、調整されたＶＯＵＴをバッテリ２０２に提供してもよい。電圧調整器２１６を実装するＰＣＢＡ２１４によって提供される電圧調整回路５００は、図４を参照して以下でさらに詳細に説明される。いくつかの実施形態では、リードスイッチ２１８は、充電要素２２０がバッテリ２０２から出力電圧ＶＯＵＴを受電することを阻止する。本明細書で使用されるように、ＢＡＴＯＵＴおよびＶＯＵＴは、同義的に使用されるであろう。
【００３０】
他の実施形態では、電子機器ケーシング２０８は、電圧調整器２１６またはＰＣＢＡ２１４を封入しないが、むしろ電圧調整器２１６およびＰＣＢＡ２１４が、それぞれ、第１または第２の側面２０２−１、２０２−２のうちの１つ、もしくはバッテリ２０２の側壁２０２−３に取り付けられる。ここで、バッテリ２０２に接続するためにＰＣＢＡ２１４の接触要素２１２、２３２、２３４（図３）を使用するのではなく、恒久的接続が、代わりにバッテリ端子とＰＣＢＡ２１４との間で使用されてもよい。恒久的接続は、スポット溶接されたタブ、はんだ付けされたタブ、または溶接を含んでもよい。充電要素２２０は依然として、上記で説明されるような類似特徴を使用して、ＰＣＢＡ２１４を通して充電電圧をバッテリ２０２に提供するための電子機器ケーシング２０８によって、封入されるであろう。
【００３１】
いくつかの実施形態では、電子機器ケーシング２０８はさらに、以降では接触フィンガ２２５−１および２２５−２と称される、第１および第２の接触要素２２５−１ならびに２２５−２を含む。いくつかの実施例では、接触フィンガ２２５−１および２２５−２は、金めっきを施される。示される実施例では、接触フィンガ２２５−１および２２５−２は、電子機器ケーシング２０８から突出する。第１の接触フィンガ２２５−１（図２Ａ）は、ＢＤＭ２００がバッテリ２０２の第２の側面２０２−２における負端子ＢＡＴ−からＰＣＢＡ２１４に負入力電圧（ＶＩＮ−）を提供するように閉鎖位置にあるときに、ＰＣＢＡ２１４の端子５２０−１（図４）に電気的に接続する。第２の接触フィンガ２２５−２（図２Ｂ）は、ＢＤＭ２００が電圧調整器２１６からバッテリ２０２の第１の側面２０２−１における出力端子ＢＡＴＯＵＴに調整された出力電圧（ＶＯＵＴ）を提供するように閉鎖位置にあるときに、ＰＣＢＡ２１４の出力端子５４０（図４）に電気的に接続する。
【００３２】
図３は、ＢＤＭ２００の概略図を示す。ＢＤＭ２００がシェル部分１０４にしっかりと取り付けられることによって閉鎖位置にあるとき、水平鎖線３０１の下方の全ての特徴は、シェル部分１０４内に封入される。したがって、ＰＣＢＡ２１４および充電ピン２２０は、ＢＤＭ２００が閉鎖位置にあるときに、シェル部分１０４内に封入されない。いくつかの実施形態では、ＰＣＢＡ２１４は、ＰＣＢＡ２１４をバッテリ２０２のＢＡＴ＋、ＢＡＴ−、およびＢＡＴＯＵＴのうちの対応するものに電気的に接続する、複数の接触要素２１２、２３４、２３２を含む。例えば、接触要素２１２は、バッテリ２０２の側壁２０２−３におけるＢＡＴ＋から電圧を伝導させてもよく、接触要素２３２は、バッテリ２０２が増加電圧バッテリであるときに、電圧調整器２１６からバッテリ２０２の第１の側面２０２−１におけるＢＡＴＯＵＴに調整された出力電圧（ＶＯＵＴ）を提供してもよく、接触要素２３４は、バッテリ２０２の第２の側面２０２−２におけるＢＡＴ−から電圧を伝導させてもよい。接触要素２１２、２３２、２３４は、１つまたはそれを上回る導電性金属をプレス加工することによって形成されてもよい。いくつかの実施形態では、ＰＣＢＡ２１４の接触要素２１２、２３２、２３４のうちの少なくとも１つは、金めっきを施される。
【００３３】
いくつかの実施形態では、ＢＤＭ２００の電子機器ケーシング２０８は、キー絶縁体２３６を受容するためのキー特徴２３５を画定する。キー絶縁体２３６は、プラスチックから、または絶縁特性を有する材料の任意の組み合わせから形成されてもよい。バッテリ２０２が電子機器ケーシング２０８によって受容されるとき、キー絶縁体２３６は、バッテリ２０２の第１の側面２０２−１とバッテリ２０２の第２の側面２０２−２との間に延在する長さを画定し、バッテリ２０２の側壁（２０２−３）に対向する第１の表面と、キー絶縁体２３６の第１の表面とは反対の側に配置される第２の表面とを含む。キー絶縁体２３６は、バッテリ２０２のＢＡＴ−、ＢＡＴ＋、およびＢＡＴＯＵＴと関連付けられる電圧を相互から隔離するように構成されてもよい。いくつかの実施例では、キー絶縁体２３６の第２の表面は、相互と実質的に平行に延在する、第１および第２の絶縁チャネル６４２、６４４を画定する。図６Ａおよび６Ｂを参照して以下でさらに詳細に説明される、第１の絶縁チャネル６４２は、ＰＣＢＡ２１４の接触要素２３２と関連付けられる伝導端子６３２（以降では「伝導ストリップ」）を受容するように構成され、第２の絶縁チャネル６４４は、ＰＣＢＡ２１４の接触要素２３２と関連付けられる伝導端子６３４（以降では「伝導ストリップ」）を受容するように構成される。例えば、接触要素２３２は、伝導ストリップ６３２の中へスワイプする縁を含んでもよく、接触要素２３４は、伝導ストリップ６３４の中へスワイプする縁を含んでもよい。いくつかの実施形態では、伝導ストリップ６３２、６３４は、ニッケル、ニッケル合金、金、または他の伝導性金属のうちの少なくとも１つから形成される。
【００３４】
いくつかの実施形態では、充電要素２２０は、バッテリ２０２が３１２サイズであるときに、定寸制約に従うように反対端にある。示される実施例では、「反対端」という用語は、バッテリ２０２の第１の側面２０２−１に近接する一方の充電要素（例えば、ピン）、およびバッテリ２０２の第２の側面２０２−２に近接する他方の充電要素（例えば、ピン）を指す。別の実装では、充電要素２２０は、隣り合ってもよい。いくつかの実施例では、充電要素２２０は、金めっきを施される。示される実施例では、充電要素２２０は、電子機器ケーシング２０８から露出され、それによって、シェル部分１０４からＢＤＭ２００を除去する必要なく、補聴器デバイス１００が外部充電器９００（図１７）によって充電されることを可能にする、先端を有する、ピンを含む。したがって、充電ピン２２０は、そこに連結されたときに外部充電器９００から電圧を伝導させ、バッテリ２０２を充電するために充電電圧をＰＣＢＡ２１４に提供してもよい。
【００３５】
いくつかの実施例では、充電要素２２０は、電子機器ケーシング２０８内に完全に陥凹したピンまたはパッドを含んでもよい。これらの実施例では、外部充電器９００は、電子機器ケーシング２０８の中へ延在して充電要素と噛合するように構成される、接触要素を含んでもよい。ＰＣＢＡ２１４上に配置される充電パッドが、外部充電器９００の接触要素に電気的に接続するための充電ピンの代わりに利用されてもよい。他の実施例では、充電要素２２０は、ＢＤＭ２００の底面と実質的に同一平面であるピンまたはパッドを含んでもよい。
【００３６】
いくつかの実施形態では、充電要素２２０は、電子機器ケーシング２０８の中へ圧入され、ＰＣＢＡ２１４に接続するように別個にはんだ付けされてもよい。いくつかの実施形態では、電子機器ケーシング２０８は、誘導帯電を介してバッテリ２０２を充電する外部誘導充電器によって生成される電磁場から電力を受電するためにＰＣＢＡ２１４に電気的に接続される、誘導コイルを含む。他の実施形態では、電子機器ケーシング２０８は、バッテリ２０２を充電する外部高周波充電器によって生成される高周波信号から電力を受電するために構成される、アンテナを含む。
【００３７】
図３を依然として参照すると、いくつかの実施形態では、第１の伝導ディスク６５２は、バッテリ軸ＬＢＡＴと実質的に同軸で配置され、バッテリケーシング２２１がバッテリ２０２を受容するときにバッテリ２０２の第１の側面２０２−１に電気的に接続される。これらの実施形態では、第１の伝導ディスク６５２は、伝導ストリップ６３２および接触要素２３２を介して、ＰＣＢＡ２１４からバッテリ２０２の出力端子（ＢＡＴＯＵＴ）に調整された出力電圧ＶＯＵＴを提供する。いくつかの実施形態では、伝導ストリップ６３２は、絶縁チャネル６４２から延在し、第１の伝導ディスク６５２を形成するように屈曲する。第１の伝導ディスク６５２は、バッテリ２０２の直径より小さい直径を含んでもよい。示される実施例では、絶縁ディスク６６２は、バッテリ２０２のＢＡＴＯＵＴに提供される調整された出力電圧ＶＯＵＴが、側壁２０２−３におけるバッテリ２０２のＢＡＴ＋に接触することを防止するように、第１の伝導ディスク（６５２）とバッテリ２０２の第１の側面２０２−１と側壁２０２−３との間に配置されてもよい。したがって、絶縁ディスク６６２は、第１の伝導ディスク６５２が、プラスチックキー絶縁体２３６の第１の絶縁チャネル６４２によって受容される伝導ストリップ６３２の中へ屈曲する場所で、バッテリ２０２を保護してもよい。絶縁ディスク６６２は、伝導ディスク６５２の直径より大きい外径を含んでもよい。他の実施形態では、絶縁ディスク６６２は、バッテリ２０２のＢＡＴＯＵＴに提供される調整された出力電圧ＶＯＵＴが、側壁２０２−３におけるバッテリ２０２のＢＡＴ＋に接触することを防止するように、バッテリ２０２の第１の側面２０２−１および側壁２０２−３の一部を封入する、絶縁体キャップ３０２（図１２）によって置換される。絶縁体キャップ３０２は、図１１および１２を参照して以下でさらに詳細に説明される。いくつかの実施形態では、絶縁ディスク６６２および絶縁体キャップ３０２は、Ｍｙｌａｒ（登録商標）という商標の下でＥ．Ｉ．  ｄｕ  Ｐｏｎｔ  ｄｅ  Ｎｅｍｏｕｒｓ  ａｎｄ  Ｃｏｍｐａｎｙから入手可能なポリマーフィルムを含む。絶縁ディスク６６２を第１の側面２０２−１に、およびバッテリ２０２の側壁２０２−３の一部を伝導ディスク６５２に保持するように、接着剤またはエポキシが選択されてもよい。
【００３８】
他の実施形態では、第１の伝導ディスク６５２および絶縁ディスク６６２は、バッテリ２０２が低減電圧バッテリであるときに省略されてもよい。いくつかの実施例では、ＰＣＢＡ２１４および電圧調整器２１６は、ＰＣＢの接触要素２１２、２３２、２３４のうちの少なくとも１つがバッテリ２０２から電気的に断絶されるときに、バッテリ２０２による給電を断たれる。これらの実施例では、電圧調整器２１６およびＰＣＢＡ２１４がバッテリ２０２によって給電されないとき、バッテリ２０２（例えば、低減電圧バッテリ）は、電圧調整器２１６にいかなる電力も使用することなく、補聴器デバイス１００の電気構成要素に直接給電する。他の実施例では、バッテリ２０２は、ＰＣＢＡ２１４の全ての接触要素２１２、２３２、２３４に電気的に接続され、ＢＡＴ＋は、ＢＡＴＯＵＴに電気的に接続され、バッテリ２０２から伝導される電圧が電圧調整器２１６を効果的に迂回することを可能にし、それによって、電圧調整器２１６を横断するいかなる知覚可能な電圧降下も排除する。
【００３９】
図４を参照すると、ＰＣＢＡ２１４上にＡＳＩＣを伴って実装される電圧調整器２１６によって提供される、電圧調整回路５００の概略図が図示されている。電圧調整回路５００は、補聴器デバイス１００のシェル部分１０４内の電気構成要素に給電する出力電圧（ＶＯＵＴ）を調整する。電圧調整回路５００（以降では「調整回路５００」）は、バッテリ２０２と、入力コンデンサＣＩＮ５２２と、電流感知抵抗器ＲＣ５２４と、バイアス抵抗器ＲＢ１５２６およびＲＢ２５２８と、スイッチデバイス５５０と、充電端子５３０と、補聴器端子５３２と、出力コンデンサＣＯＵＴ５４６と、電圧調整器２１６とを含む。非限定的実施例では、ＣＩＮ５２２およびＣＯＵＴ５４６は、両方とも１．０μＦに等しく、ＲＣ５２４は、４９．９Ωに等しく、バッテリ抵抗器ＲＢ１５２６およびＲＢ２５２８は、それぞれ、４９９ｋΩおよび１．０ＭΩに等しい。いくつかの実施形態では、スイッチデバイス５５０は、図２Ａのリードスイッチ２１８に対応する。
【００４０】
バッテリ２０２は、負（ＢＡＴ−）および正（ＢＡＴ＋）端子を介して、入力電圧（ＶＩＮ）を電圧調整器２１６の対応する端子５２０−１および５２０−２に供給する。図示される実施例では、電圧調整器２１６の負および正端子５２０−１ならびに５２０−２は、それぞれ、集合的に電圧調整器２１６の「入力端子」と称されることができる。バッテリ２０２から供給されるＶＩＮの規模に基づいて、電圧調整器２１６は、補聴器デバイスの電気構成要素のうちの１つまたはそれを上回るものに電気的に接続される補聴器端子５３２に給電するために、出力端子５４０を介してＶＯＵＴを提供する。本明細書の実施形態は、結果として生じるＶＯＵＴが最大出力電圧（Ｖｏｕｔ＿ｍａｘ）を超えないことを確実にするように、ＶＩＮの規模が入力電圧閾値（Ｖｉｎ＿ｔｈｒｅｓｈ）を超えるときに、バッテリ２０２から供給されるＶＩＮの規模を低減させる、電圧調整器２１６を対象とする。本明細書で使用されるように、「最大出力電圧（Ｖｏｕｔ＿ｍａｘ）」という用語は、それに損害または損傷を引き起こすことなく、補聴器デバイスの電気構成要素に給電するために利用され得る最大許容出力電圧を指す。非限定的実施例では、Ｖｏｕｔ＿ｍａｘは、約１．６Ｖに等しい。
【００４１】
いくつかの実施形態では、電圧調整器２１６は、電圧調整器２１６の端子５２０−１および５２０−２において受電されるＶＩＮの規模に基づいて、バッテリ２０２が低減電圧（例えば、亜鉛空気バッテリ）バッテリまたは増加電圧バッテリ（例えば、銀亜鉛もしくはリチウムイオンバッテリ）であるかどうかを判定してもよい。その後、実装されたＡＳＩＣを使用して、次いで、電圧調整器２１６は、バッテリ２０２が低減電圧バッテリであると判定される場合にＶＩＮのいかなる調整または低減も無視してもよいか、もしくは電圧調整器２１６は、バッテリ２０２が増加電圧バッテリであると判定される場合にＶＩＮを調整してもよい。いくつかの実施形態では、電圧調整器２１６は、ＶＩＮの規模に基づいて、切替ＤＣ−ＤＣ変換器および線形ＤＣ−ＤＣ変換器の任意の組み合わせを使用して、電圧を調整することができる。
【００４２】
図４の調整回路５００は、１つまたはそれを上回るフライングキャパシタを含んでもよい。示される実施例では、調整回路５００は、それぞれ、第１、第２、および第３のフライングキャパシタＣ１５３４、Ｃ２５３６、ならびにＣ３５３８を含む。それぞれのフライングキャパシタは、同一であり、非限定的実施例では、４７０ｎＦの容量を含む。フライングキャパシタの負端子は、電圧調整器２１６の対応する端子５３４−１、５３６−１、および５３８−１に電気的に接続される。フライングキャパシタの正端子は、電圧調整器２１６の対応する端子５３４−２、５３６−２、および５３８−２に電気的に接続される。電圧調整器２１６はさらに、ＡＳＩＣを伴って実装される電圧調整器２１６が、補聴器端子５３２において低バッテリ警告を信号伝達し得る仕方を構成するために必要なＥＯＬ電圧を構成するように、ＥＯＬ電圧端子５４２および５４４を含む。
【００４３】
依然として図４を参照すると、充電端子５３０は、バッテリが再充電可能である電池タイプ、例えば、銀亜鉛である場合、バッテリ２０２を充電するための充電デバイスに選択的に電気的に接続されてもよい。補聴器は、ユーザの耳の内側またはちょうど耳の外側に嵌合するほど十分に小さくなければならない。小さいサイズにより、充電端子５３０は、バッテリ２０２を充電するためのＢＤＭ２００の充電ピン２２０に電気的に接続するための２つの接点（すなわち、正および負の充電接点）のみを含むように制約される。充電デバイスの存在を示す付加的な接点は、存在していない。したがって、調整回路５００が充電デバイスに電気的に接続され、バッテリが充電事象を受けていることを示すために、電圧調整器２１６は、端子５３０の充電接点を介して、バッテリ２０２と充電デバイスとの間の充電電流（ＶＳＥＮＳＥ）を感知するための感知端子５２５を含む。具体的には、充電電流（ＶＳＥＮＳＥ）は、電力感知抵抗器ＲＣ５２４を横断する電圧を検出することによって感知される。補聴器デバイスは、充電事象中にバッテリ２０２を使い果たすことを回避するように、および充電中にフィードバック雑音または吹鳴音が発生することを防止するように、停止させられなければならない（例えば、オフモードもしくはスタンバイモード）。したがって、電圧調整器２１６は、感知端子５２５を介して充電電流の存在を検出し、充電事象中に補聴器デバイスを停止させるようにＶＯＵＴをゼロまで低減させてもよい。
【００４４】
スイッチデバイス５５０は、ＰＣＢＡ２１４を伴って実装されてもよい。スイッチデバイス５５０は、補聴器デバイスがＶＯＵＴを介して給電されているときに、充電端子５３０の充電接点からいかなる電圧も遮断するように、出力端子５４０によって制御されてもよい。電圧へのいかなる暴露も、短絡をもたらすか、または、望ましくない電流の漏出をもたらし得るため、充電接点からバッテリ電圧を遮断することが望ましい。したがって、出力端子５４０にＶＯＵＴの存在があるとき、スイッチデバイス５５０は、充電端子５３０の充電接点への電流の流れを遮断するように、オフ状態に変わることができる。同様に、バッテリ２０２が充電事象を受けていることを感知端子５２５が検出するとき、電圧調整器２１６は、補聴器デバイスをオフにするように、ＶＯＵＴをゼロまで低減させ、それによって、スイッチデバイス５５０がオン状態に移行することを可能にし、充電デバイスがバッテリ２０２を完全に充電することを可能にしてもよい。図４の図示される実施例では、スイッチデバイス５５０は、金属酸化膜半導体電界効果トランジスタ（ＭＯＳＦＥＴ）を含む。図５の図示される実施例は、電圧調整器２１６の外側のスイッチデバイス５５０を描写するが、いくつかの実施形態は、電圧調整器２１６内に統合されたスイッチデバイス５５０を含んでもよい。
【００４５】
図５は、図４の電圧調整器２１６を実装するためのＰＣＢＡ２１４の概略図である。図５の類似数字は、対応する特徴を示す、図４の類似数字に対応するであろう。示される実施例では、ＰＣＢＡは、複数の端子１−１２を含む。端子１は、バッテリ２０２から負入力電圧（ＶＩＮ−）を受電するための図４の端子５２０−１に対応し、端子２は、バッテリ２０２から正入力電圧（ＶＩＮ＋）を受電するための図４の端子５２０−２に対応し、端子３は、ＶＳＥＮＳＥを受電するための図４の端子５２５に対応する。端子４および５は、ＡＳＩＣを伴って実装される電圧調整器２１６が補聴器端子５３２において低バッテリ警告を信号伝達し得る仕方を構成するための図４のＥＯＬ電圧端子５４２および５４４に対応する。端子６および７は、それぞれ、フライングキャパシタ５３８の負および正端子５３８−１ならびに５３８−２に対応し、端子８および９は、それぞれ、フライングキャパシタ５３６の負および正端子５３６−１ならびに５３６−２に対応し、端子１０および１１は、それぞれ、フライングキャパシタ５３４の負および正端子５３４−１ならびに５３４−２に対応する。端子１２は、ＶＯＵＴを提供する図４の出力端子５４０に対応する。
【００４６】
図６Ａおよび６Ｂは、図１のＢＤＭ２００の環状バッテリ２０２およびキー絶縁体２３６の側面図である。キー絶縁体２３６は、バッテリ２０２の側壁２０２−３の形状に適合する、湾曲形状を含んでもよい。エポキシコーティング等の接着剤が、キー絶縁体２３６を側壁２０２−３に保持するために使用されてもよい。キー絶縁体２３６は、ＢＤＭ２００内のキー特徴２３５内に係合する形状を含んでもよい。
【００４７】
示される実施例では、ＢＡＴＯＵＴから電圧を伝導させるための伝導ストリップ６３２は、第１の絶縁チャネル６４２によって受容され、ＢＡＴ−から電圧を伝導させるための伝導ストリップ６３４は、第２の絶縁チャネル６４４によって受容される。いくつかの実施形態では、絶縁チャネル６４２および６４４はそれぞれ、対応する伝導ストリップ６３２および６３４が保定され、対応する接触要素２３２および２３４によってキー絶縁体２３６から引き抜かれないことを確実にするために、それぞれの引込特徴を含む。いくつかの実施形態では、伝導ディスク６５２とプラスチックキー絶縁体２３６の中の伝導ストリップ６３２との間の交差点において後尾部を保持するために、接着剤が利用される。絶縁ディスク６６２は、伝導ディスク６５２とバッテリ２０２との間に配置されてもよい。図４Ｂに示されるように、伝導ストリップ６３４は、ＢＡＴ−から電圧を伝導させるための第２の側面２０２−２におけるバッテリ２０２の表面に接続するように、バッテリの輪郭に沿って一連のクリンプを含む。いくつかの実施形態では、キー絶縁体２３６は、伝導ストリップ６３４が短絡することを防止するように、第２の側面２０２−２における肩／クリンプ領域を覆って延在する。
【００４８】
図７を参照すると、斜視図が、バッテリ２０２およびＢＤＭ２００内に位置するキー絶縁体２３６の一部を示す。いくつかの実施形態では、伝導ストリップ６３４は、領域７４２に近接する第２の側面２０２−２におけるバッテリ２０２の負端子（ＢＡＴ−）に接触するための２つの場所でスポット溶接される。明確にするために、伝導ストリップ６３２を受容するための第１の絶縁チャネル６４２を含むキー絶縁体の一部は、省略されている。図２Ｂを参照して示されるように、保定部分２２４の内径によって画定される開口２２５は、伝導ストリップ６３４がキー絶縁体２３６まで取る経路上でバッテリ２０２を露出する。伝導ストリップ６３４の定寸は、バッテリ２０２の負端子（ＢＡＴ−）における補聴器デバイス接点と接触しないよう最小限にされてもよい。伝導ストリップ６３４の場所は、プラスチックキー絶縁体２３６によって制御されてもよく、ＢＤＭ２００のキー特徴２３５（図３）は、蓋の最上部の上のスポット溶接されたストリップを補聴器バッテリの接点から離しておくように、ＢＤＭ２００内のバッテリ２０２を整合させる。
【００４９】
図８Ａ−８Ｃを参照すると、ＢＤＭ８００の別の実装の斜視図が図示されている。示される実施例では、バッテリ２０２とＢＤＭ８００の電圧調整器アセンブリ８１６との間の電力潮流と関連付けられる構成要素のみが、図示されている一方で、電子機器ケーシングと、環状バッテリ２０２を受容して固着するバッテリケーシングとは、乱雑を回避するように省略されている。ＢＤＭ８００は、シェル部分と係合するための１つまたはそれを上回る係合特徴を含んでもよく、環状バッテリ２０２は、シェル部分内に封入され、環状バッテリ２０２の軸は、シェル部分の縦軸に対して直角である。シェル部分は、図１の補聴器デバイス１００を参照して上記で説明されるように、補聴器の電気構成要素を封入してもよい。ＢＤＭ８００は、図２Ａおよび２Ｂを参照して上記で説明されるように、低減電圧バッテリおよび増加電圧バッテリのうちのいずれか一方を受け入れるように構成される。
【００５０】
図８Ａは、バッテリ２０２を伴わないＢＤＭ８００の電力管理構成要素を図示し、図８Ｂおよび８Ｃは、バッテリ２０２を含むＢＤＭ８００の電力管理構成要素を図示する。いくつかの実施形態では、電圧調整器アセンブリ８１６は、バッテリ２０２からのＶＯＵＴを調整するための図５の電圧調整回路５００を提供するようにＰＣＢＡ上にＡＳＩＣを伴って実装される、電圧調整器を含む。電圧調整器アセンブリ８１６はさらに、充電要素８２０からＶＯＵＴを遮断するためのリードスイッチを含んでもよい。電圧調整器アセンブリ８１６は、ＢＡＴ＋およびＢＡＴ−のそれぞれからの電圧ならびにバッテリ２０２の調整された出力電圧を伝導させるためのＰＣＢＡ接触要素を含んでもよい。いくつかの実施形態では、充電要素（例えば、ピンまたはパッド）８２０は、それに連結されたときに外部充電器９００（図１７）から電圧を伝導させ、バッテリ２０２を充電するために充電電圧を電圧調整器アセンブリ８１６に提供してもよい。充電要素８２０は、外部充電器と接続するように任意のサイズまたは形状を含んでもよい。いくつかの実施例では、充電要素８２０は、金めっきを施される。加えて、先端に近接する充電要素８２０の部分が、電子機器ケーシングから露出されてもよく、シェル部分からＢＤＭ８００を除去する必要なく、外部充電器によるバッテリの充電を可能にする。いくつかの実施形態では、電圧調整器アセンブリ８１６は、誘導帯電を介してバッテリ２０２を充電する外部誘導充電器によって生成される電磁場から電力を受電するための誘導コイルを含む。他の実施形態では、電圧調整器アセンブリ８１６は、バッテリ２０２を充電する外部高周波充電器によって生成される高周波信号から電力を受電するために構成される、アンテナを含む。
【００５１】
いくつかの実施形態では、ＢＤＭ８００は、電圧調整器アセンブリ８１６に提供されるＢＡＴ＋、ＢＡＴ−、およびＢＡＴＯＵＴのそれぞれから伝導される電圧を隔離するように構成される、絶縁体部分８３６を含む。いくつかの実施例では、絶縁体部分８３６は、プラスチックである。示される実施例では、絶縁体部分８３６は、ＢＡＴ＋およびＢＡＴ−ならびにバッテリ２０２の調整された出力電圧から伝導ストリップを受容するための伝導性パッドを含む、プリント回路基板材料である。接触要素８６０は、絶縁体部分８３６上のＰＣＢＡパッドであってもよく、いくつかの実施例では、接触要素８６０は、金めっきを施される。
【００５２】
いくつかの実施形態では、第１の伝導ディスク８５２が、バッテリ軸（ＬＢＡＴ）と実質的に同軸で配置され、バッテリ（２０２）の第１の側面（２０２−１）に電気的に接続される。図３、６Ａ、および６Ｂの第１の伝導ディスク６５２と同様に、第１の伝導ディスク８５２は、伝導ストリップ８３２を介して、電圧調整器アセンブリ８１６から第１の側面２０２−１におけるバッテリ２０２の出力端子ＢＡＴＯＵＴに調整された出力電圧を提供する。いくつかの実施例では、伝導ストリップ８３２は、絶縁体部分８３６のそれぞれのＰＣＢＡパッドから延在し、伝導ディスク８５２を形成するように屈曲する。いくつかの実施形態では、第２の伝導ディスク８５４が、バッテリ軸（ＬＢＡＴ）と実質的に同軸で配置され、バッテリ２０２の第２の側面２０２−２に電気的に接続される。第２の伝導ディスク８５４は、伝導ストリップ８３４および対応する接触要素８６０を介して、第２の側面（２０２−２）におけるバッテリ２０２の負端子ＢＡＴ−から電圧を伝導させてもよい。いくつかの実施例では、伝導ストリップ８３４は、絶縁体部分８３６のそれぞれのチャネルから延在し、伝導ディスク８５４を形成するように屈曲する。いくつかの実施形態では、伝導突出８１２は、バッテリ２０２の側壁２０２−３に電気的に接続され、対応する接触要素８６０を介して、ＢＡＴ＋から電圧調整器アセンブリ８１６に電圧を伝導させるように構成される。いくつかの実施例では、伝導ストリップ８３２および８３４、伝導ディスク８５２および８５４、ならびに伝導突出８１２は、ニッケル、ニッケル合金、および金から成る群から選択される材料から形成される。他の実施例では、伝導ストリップ８３２および８３４、伝導ディスク８５２および８５４、ならびに伝導突出８１２は、他の伝導性金属から形成される。他の実施形態では、伝導保定部材が、伝導ディスク８５２および／または８５４ならびに／もしくは伝導突出８１２のうちの１つまたはそれを上回るものを交換するために利用されてもよい。
【００５３】
図９−１３を参照すると、いくつかの実施形態では、補聴器デバイス１００ａは、シェル部分１０４に取り付けられたバッテリドアモジュール（ＢＤＭ）２００ａを含む。補聴器デバイス１００ａに対する補聴器デバイス１００と関連付けられる構成要素の構造および機能の実質的な類似性を考慮して、類似参照数字が、類似構成要素を識別するために以降および図面で使用される一方で、文字拡張を含有する類似参照数字は、修正されたこれらの構成要素を識別するために使用される。
【００５４】
ＢＤＭ２００ａは、低減電圧バッテリ（例えば、亜鉛空気バッテリ）および増加電圧バッテリのいずれか一方を受け入れるように構成されてもよく、シェル部分１０４からＢＤＭ２００ａを除去する、および／またはＢＤＭ２００ａからバッテリ２０２を除去する必要なく、バッテリ２０２の再充電能力を提供してもよい。いくつかの実施形態では、ＢＤＭ２００ａは、シェル部分１０４の第２の端部１０５に取り付けられる。したがって、シェル部分１０４は、補聴器デバイス１００ａに対応し、ＢＤＭ２００ａは、補聴器デバイス１００ａに取り付けられるように構成される。ＢＤＭは、バッテリ２０２をＢＤＭに挿入する、またはＢＤＭからバッテリ２０２を除去するための開放位置の間でシェル部分１０４に対して移動可能であり得る。図９は、シェル部分１０４に対して閉鎖位置にあるＢＤＭを示す。いくつかの実施形態では、ＢＤＭは、閉鎖位置から開放位置にＢＤＭを移動させるようにヒンジ枢動軸２０７の周囲で（例えば、時計回りに）回転してもよい。
【００５５】
図１０−１４を参照すると、いくつかの実施形態では、ＢＤＭ２００ａは、電子機器ケーシング２０８ａと、バッテリケーシング２２１ａとを含む。バッテリケーシング２２１ａは、ＢＤＭ内でバッテリ２０２を受容して固着してもよい。図１０は、バッテリケーシング２２１ａから省略されたバッテリ２０２を示す。図１１および１２は、バッテリ２０２の第１の側面２０２−１および一部２０２−３を封入する、絶縁体キャップ３０２を示す。伝導端子６３２ａは、バッテリ２０２のＢＡＴＯＵＴに提供される調整された出力電圧ＶＯＵＴが、側壁２０２−３の残りの部分においてバッテリ２０２のＢＡＴ＋に接触することを防止するように、絶縁体キャップ３０２によって封入された側壁２０２−３の一部と関連付けられる場所で絶縁体キャップ３０２に接触してもよい。エポキシ等の絶縁体３０４が、絶縁体キャップ３０２をバッテリ２０２の第１の側面２０２−１および側壁２０２−３の一部に保持するように、バッテリ２０２上にコーティングされてもよい。絶縁体３０４はまた、端子ＢＡＴ＋、ＢＡＴ−、およびＢＡＴＯＵＴと関連付けられる電圧を相互から隔離するように、ある程度の絶縁を提供してもよい。いくつかの実施例では、絶縁体３０４は、バッテリ２０２を容易に認識可能にするように構成される、明るい色である。他の実施例では、絶縁体３０４は、Ｍｙｌａｒ（登録商標）から形成され、バッテリ２０２の部分に巻き付く。
【００５６】
図１３および１４は、バッテリケーシング２２１ａによって受容されるバッテリ２０２を示す。バッテリケーシング２２１ａは、シェル部分１０４の第２の端部１０５と電子機器ケーシング２０８ａとの間に配置されてもよい。いくつかの実施例では、電子機器ケーシング２０８ａは、バッテリケーシング２２１ａと一体的である。他の実施例では、電子機器ケーシング２０８ａおよびバッテリケーシング２２１ａは、ＢＤＭ２００ａを形成するように相互に接続する別個の構成要素である。図１３に示されるように、バッテリケーシング２２１ａは、ＢＤＭの縦軸Ｌに対して実質的に垂直に延在するバッテリ軸ＬＢＡＴを伴ってバッテリ２０２を受容するように構成される。
【００５７】
ＢＤＭ２００ａは、ＢＤＭ２００ａがシェル部分１０４に取り付けられることを可能にする、バッテリケーシング２２１ａ上に配置された取付部材２０６ａを含んでもよい。取付部材２０６ａは、ＢＤＭが開放位置と閉鎖位置との間でシェル部分１０４に対して移動することを可能にするように、シェル部分１０４によって回転可能に支持されてもよい。例えば、ピンが、ヒンジ枢動軸２０７の周囲で取付部材２０６ａを回転可能に支持してもよい。
【００５８】
いくつかの実施形態では、バッテリケーシング２２１ａは、バッテリカバー部分２２２ａと、保定部分２２４ａとを含む。カバー部分２２２ａは、バッテリケーシング２２１ａがバッテリ２０２を受容するときに、バッテリ２０２の外周に適合し、側壁２０２−３の一部を封入する、湾曲外形を含んでもよい。いくつかの実施形態では、カバー部分２２２ａは、バッテリ２０２がその中に封入されるときに、バッテリ２０２の側壁２０２−３の一部との接触から付勢状態に屈曲して枢動するように、一体ヒンジとして動作する保定タブ３２２を含む。逆に、保定タブ３２２は、バッテリ２０２が保定部分２２４ａから離れた方向に除去されるときに、弛緩状態において不偏であり得る。
【００５９】
図１４に示されるように、保定部分２２４ａは、実質的に円盤形状であり、バッテリケーシング２２１ａがバッテリ２０２を受容するときに、バッテリ軸ＬＢＡＴと実質的に同軸で、第２の側面２０２−２に対向して配置されてもよい。いくつかの実施例では、保定部分２２４ａは、少なくとも第２の側面２０２−２の直径に等しい直径を含む。開口２２５ａが、図１４に示されるように、バッテリ２０２の第２の側面２０２−２の内面を露出するように保定部分２２４ａの一部を通して形成されてもよい。逆に、図１１は、バッテリ２０２が自由にＢＤＭ２００ａに挿入される、またはそこから除去されることを可能にするように完全に露出されたバッテリ２０２の第１の側面２０２−１を示す。
【００６０】
いくつかの実施形態では、電子機器ケーシング２０８ａは、１つまたはそれを上回る接触要素２２０ａの少なくとも一部を封入する。図１０は、電子機器ケーシング２０８の底面から露出された充電パッドを含む、２つの接触要素２２０ａを示す。充電パッド２２０ａは、円として描写されているが、卵形、長方形、または他の多角形等の任意の形状を含んでもよい。いくつかの実施例では、２つの接触要素２２０ａは、電子機器ケーシング２０８ａの底面と実質的に同一平面である。しかしながら、他の実施例では、接触要素２２０ａは、電子機器ケーシング２０８ａ内に陥凹し、電子機器ケーシング２０８ａの底面から突出してもよい。いくつかの実施形態では、２つの接触要素２２０ａは、充電ピンを含む。図１−７の補聴器デバイス１００のための接触要素２２０と同様に、接触要素２２０ａは、ＢＤＭ２００ａ内のバッテリ２０２の充電を促進するように、外部充電器９００（図１７）の対応する充電要素と噛合してもよい。図１０はまた、電子機器ケーシング２０８ａの底面上で接触要素２２０ａの間に配置された引力板３３０も示す。引力板３３０は、接触要素２２０ａが正しい極性と整合し、外部充電器９００の対応する充電要素と接触するように、外部充電器と関連付けられる磁気要素に引き付けられ、補聴器デバイス１００ａを配向することに役立つ、磁性または強磁性材料を含んでもよい。
【００６１】
いくつかの実施形態では、電子機器ケーシング２０８ａは、電圧調整器２１６、ＰＣＢＡ２１４、および充電要素２２０ａの少なくとも一部のうちの１つまたはそれを上回るものを含む、電力管理構成要素を封入する。電子機器ケーシング２０８ａはまた、図２Ａに示される補聴器デバイス１００のリードスイッチ２１８を封入してもよい。図１５を参照すると、電子機器ケーシング２０８ａの分解図は、ＰＣＢＡ２１４および電圧調整器２１６を受容するように構成される空洞３１４を画定する、電子機器ケーシング２０８ａを示す。接触要素２２０ａおよび引力板３３０は、ＰＣＢＡ２１４の底面上に配置されてもよい。接触要素２２０ａは、バッテリ２０２を充電するために充電電流をＰＣＢＡ２１４に提供するように、ＰＣＢＡ２１４に電気的に接続されてもよい。充電開口３２０が、接触要素２２０ａのうちの対応するものを受容するように、電子機器ケーシング２０８を通して形成されてもよく、引力開口３３２が、引力板３３０を受容するために電子機器ケーシング２０８を通して形成されてもよい。
【００６２】
図１５を続けて参照すると、複数の接触要素２１２ａ、２３４ａ、２３２ａが、ＰＣＢＡ２１４をバッテリ２０２のＢＡＴ＋、ＢＡＴ−、およびＢＡＴＯＵＴのうちの対応するものに電気的に接続するように、ＰＣＢＡ上に配置されてもよい。例えば、接触要素２１２ａは、バッテリ２０２の側壁２０２−３におけるＢＡＴ＋から電圧を伝導させてもよく、接触要素２３２ａは、バッテリ２０２が増加電圧バッテリであるときに、電圧調整器２１６からバッテリ２０２の第１の側面２０２−１および／または側壁２０２−３におけるＢＡＴＯＵＴに調整された出力電圧（ＶＯＵＴ）を提供してもよく、接触要素２３４ａは、バッテリ２０２の第２の側面２０２−２におけるＢＡＴ−から電圧を伝導させてもよい。これらの実施例では、絶縁キャップ３０２は、接触要素２３２ａから側壁２０２−３を電気的に絶縁するように、バッテリ２０２の側壁２０２−３の一部を封入する。
【００６３】
図１５および１６を参照すると、いくつかの実施形態では、接触要素２３２ａは、伝導端子６３２ａに電気的に接続し、接触要素２１２ａは、伝導端子６１２に電気的に接続する。ワイヤ６５０は、接触要素２１２ａ、２３２ａと対応する伝導端子６１２、６３２ａとの間に電気接続を提供してもよい。図１６は、絶縁体キャップ３０２および絶縁体３０４によって部分的に封入されたバッテリ２０２に対する伝導端子６１２、６３２ａを示すように、バッテリケーシング２２１ａおよび電子機器ケーシング２０８が図から省略されている、ＢＤＭ２００ａを示す。伝導端子６３２ａは、接触要素２３２ａを介して電圧調整器２１６からバッテリ２０２のＢＡＴＯＵＴに調整された出力電圧（ＶＯＵＴ）を提供するように、第１の側面２０２−１に隣接する側壁２０２−３の一部に接触してもよい。そうするときに、絶縁体キャップ３０２は、伝導端子６３２ａから側壁２０２−３を電気的に絶縁するように、第１の側面２０２−１に隣接する側壁２０２−３のこの一部を封入する。一方で、伝導端子６１２は、バッテリ２０２のＢＡＴ＋から電圧を伝導させるように、バッテリ２０２の第２の側面２０２−２に隣接する側壁２０２−３の残りの部分に接触してもよい。図１０は、伝導端子６３２ａ、６１２を受容するバッテリケーシング２２１ａを示す。伝導端子６１２、６３２ａは、バッテリ２０２がバッテリケーシング２２１ａによって受容されるときに屈曲するように、ばねによって付勢されてもよい。バッテリケーシング２２１ａは、伝導端子６１２、６３２ａを受容するためのスロットと、対応する接触要素２１２ａ、２３２ａと伝導端子６１２、６３２ａとの間でワイヤ６５０を誘導するためのチャネルとを含んでもよい。接触要素２３４ａは、バッテリ２０２のＢＡＴ−から電圧を伝導させるように、バッテリ２０２の第２の側面２０２−２（図１６）に接触するように構成される伝導端子６３４ａに電気的に接続されてもよい。伝導端子６３４ａは、バッテリ２０２の第２の側面２０２−２に触れる、ばね接点を含んでもよい。保定部分を通して形成された開口２２５ａは、伝導端子６３４ａが接触要素２３４ａまで取る経路上でバッテリ２０２の第２の側面２０２−２を露出してもよい。
【００６４】
図１７−１９を参照すると、いくつかの実施形態では、補聴器デバイス１００ｂは、シェル部分１０４に取り付けられたバッテリドアモジュール（ＢＤＭ）２００ｂを含む。補聴器デバイス１００ｂに対する補聴器デバイス１００と関連付けられる構成要素の構造および機能の実質的な類似性を考慮して、類似参照数字が、類似構成要素を識別するために以降および図面で使用される一方で、文字拡張を含有する類似参照数字は、修正されたこれらの構成要素を識別するために使用される。
【００６５】
ＢＤＭ２００ｂは、低減電圧バッテリ（例えば、亜鉛空気バッテリ）および増加電圧バッテリのいずれか一方を受け入れるように構成されてもよく、シェル部分１０４からＢＤＭ２００ｂを除去する、および／またはＢＤＭ２００ｂからバッテリ２０２を除去する必要なく、バッテリ２０２の再充電能力を提供してもよい。いくつかの実施形態では、ＢＤＭ２００ｂは、シェル部分１０４の第２の端部に取り付けられる。したがって、シェル部分１０４は、補聴器デバイス１００ｂに対応し、ＢＤＭ２００ｂは、補聴器デバイス１００ｂに取り付けられるように構成される。ＢＤＭは、バッテリ２０２をＢＤＭに挿入する、またはＢＤＭからバッテリ２０２を除去するための開放位置の間でシェル部分１０４に対して移動可能であり得る。図１７は、シェル部分１０４に対して閉鎖位置にあるＢＤＭを示す。いくつかの実施形態では、ＢＤＭは、閉鎖位置から開放位置にＢＤＭを移動させるようにヒンジ枢動軸２０７の周囲で（例えば、時計回りに）回転してもよい。
【００６６】
図１８および１９を参照すると、いくつかの実施形態では、ＢＤＭ２００ｂは、電子機器ケーシング２０８ｂと、バッテリケーシング２２１ｂとを含む。バッテリ２０２は、図１８および１９から省略されているが、バッテリケーシング２２１ｂは、ＢＤＭ内でバッテリ２０２を受容して固着してもよい。バッテリケーシング２２１ｂは、シェル部分１０４の第２の端部１０５と電子機器ケーシング２０８ｂとの間に配置されてもよい。いくつかの実施例では、電子機器ケーシング２０８ｂは、バッテリケーシング２２１ｂと一体的である。他の実施例では、電子機器ケーシング２０８ｂおよびバッテリケーシング２２１ｂは、ＢＤＭ２００ｂを形成するように相互に接続する別個の構成要素である。バッテリケーシング２２１ｂは、ＢＤＭの縦軸Ｌに対して実質的に垂直に延在するバッテリ軸ＬＢＡＴを伴ってバッテリ２０２を受容するように構成されてもよい。
【００６７】
ＢＤＭ２００ｂは、ＢＤＭ２００ｂがシェル部分１０４に取り付けられることを可能にする、バッテリケーシング２２１ｂ上に配置された取付部材２０６ｂを含んでもよい。上記で説明されるＢＤＭ２００、２００ｂの取付部材２０６、２０６ａと同様に、取付部材２０６ｂは、ＢＤＭが開放位置と閉鎖位置との間でシェル部分１０４に対して移動することを可能にするように、シェル部分１０４によって回転可能に支持されてもよい。例えば、ピンが、ヒンジ枢動軸２０７の周囲で取付部材２０６ｂを回転可能に支持してもよい。
【００６８】
いくつかの実施形態では、バッテリケーシング２２１ｂは、バッテリカバー部分２２２ｂと、保定部分２２４ｂとを含む。カバー部分２２２ｂは、バッテリケーシング２２１ｂがバッテリ２０２を受容するときに、バッテリ２０２（図示せず）の外周に適合し、側壁２０２−３の一部を封入する、湾曲外形を含んでもよい。いくつかの実施形態では、カバー部分２２２ｂは、バッテリ２０２がその中に封入されるときに、バッテリ２０２の側壁２０２−３の一部との接触から付勢状態に屈曲して枢動するように、一体ヒンジとして動作する。逆に、カバー部分２２２ｂは、バッテリ２０２が（図１８および１９に示されるように）保定部分２２４ｂから離れた方向に除去されるときに、弛緩状態において不偏であり得る。
【００６９】
保定部分２２４ｂは、実質的に円盤形状であり、バッテリケーシング２２１ｂがバッテリ２０２（図示せず）を受容するときに、バッテリ軸ＬＢＡＴと実質的に同軸で、第２の側面２０２−２に対向して配置されてもよい。開口２２５ｂが、バッテリ２０２の第２の側面２０２−２の内面を露出するように保定部分２２４ａの一部を通して形成されてもよい。逆に、バッテリ２０２の第１の側面２０２−１は、バッテリケーシング２２１ｂによって受容されるとき、バッテリ２０２が自由にＢＤＭ２００ｂに挿入され、またはそこから除去されることを可能にするように、完全に露出される。
【００７０】
図１８は、１つまたはそれを上回る接触要素２２０ａの少なくとも一部を封入する、電子機器ケーシング２０８ｂを示す。接触要素２２０ａは、電子機器ケーシング２０８ｂの底面と実質的に同一平面であり得、電子機器ケーシング２０８ｂ内に陥凹してもよく、または電子機器ケーシング２０８ｂの底面から突出してもよい。図１８はまた、電子機器ケーシング２０８ｂの底面上で接触要素２２０ａの間に配置された引力板３３０も示す。
【００７１】
いくつかの実施形態では、電子機器ケーシング２０８ｂは、電圧調整器２１６、プリント回路、および充電要素２２０ａの少なくとも一部のうちの１つまたはそれを上回るものを含む、電力管理構成要素を封入する。電子機器ケーシング２０８ｂはまた、図２Ａに示される補聴器デバイス１００のリードスイッチ２１８を封入してもよい。図９−１６のＢＤＭ２００ａの電子機器ケーシング２０８ａは、実質的に平坦な底面を含むが、ＢＤＭ２００ｂの電子機器ケーシング２０８ｂは、湾曲底面を含む。図１９を参照すると、電子機器ケーシング２０８ｂは、ＰＣＢＡ２１４および電圧調整器２１６を受容する。接触要素２２０ａは、バッテリ２０２を充電するために充電電流をＰＣＢＡ２１４に提供するように、ＰＣＢＡ２１４に電気的に接続されてもよい。
【００７２】
図１９を続けて参照すると、複数の伝導端子６１２ｂ、６３４ｂ、６３２ｂが、ＰＣＢＡ２１４ならびにバッテリ２０２のＢＡＴ＋、ＢＡＴ−、およびＢＡＴＯＵＴのうちの対応するものに電気的に接続するように、ＰＣＢＡ上に配置されてもよい。例えば、伝導端子６１２ｂは、バッテリ２０２の側壁２０２−３におけるＢＡＴ＋から電圧を伝導させてもよく、伝導端子６３２ｂは、バッテリ２０２が増加電圧バッテリであるときに、電圧調整器２１６からバッテリ２０２の第１の側面２０２−１および／または側壁２０２−３におけるＢＡＴＯＵＴに調整された出力電圧（ＶＯＵＴ）を提供してもよく、伝導端子６３４ｂは、バッテリ２０２の第２の側面２０２−２におけるＢＡＴ−から電圧を伝導させてもよい。
【００７３】
いくつかの実施形態では、伝導端子６３２ｂは、電圧調整器２１６からバッテリ２０２のＢＡＴＯＵＴに調整された出力電圧（ＶＯＵＴ）を提供するように、第１の側面２０２−１に隣接する側壁２０２−３の一部に接触してもよい。一方で、伝導端子６１２ｂは、バッテリ２０２のＢＡＴ＋から電圧を伝導させるように、バッテリ２０２の第２の側面２０２−２に隣接する側壁２０２−３の残りの部分に接触してもよい。これらの実施例では、図１１および１２の絶縁体キャップ３０２は、バッテリ２０２のＢＡＴＯＵＴに提供される調整された出力電圧ＶＯＵＴが、絶縁体キャップ３０２によって覆われていない側壁２０２−３の残りの部分においてバッテリ２０２のＢＡＴ＋に接触することを防止するように、側壁２０２−３の一部を封入し、伝導端子６３２ｂと噛合してもよい。絶縁体３０４（図１１および１２）は、絶縁体キャップ３０２をバッテリ２０２の第１の側面２０２−１および側壁２０２−３の一部に保持するように、バッテリ２０２上にコーティングされたエポキシを含んでもよい。伝導端子６３４ｂは、第２の側面２０２−２においてバッテリ２０２の負端子（ＢＡＴ−）に触れる、ばね接点を含んでもよい。保定部分を通して形成された開口２２５ｂは、伝導端子６３４ｂが接触要素２３４ａまで取る経路上でバッテリ２０２の第２の側面２０２−２を露出してもよい。
【００７４】
図１９は、バッテリ２０２の充電を促進するように補聴器デバイス１００、１００ａ、１００ｂを受容する、外部充電器９００の斜視図を示す。充電器９００は、ＢＤＭ２００、２００ａ、２００ｂと関連付けられる接触要素２２０、２２０ａが、正しい極性と整合し、外部充電器９００の対応する充電要素と接触するように、補聴器デバイス１００、１００ａ、１００ｂを受容してもよい。したがって、充電器９００は、シェル部分１０４からＢＤＭ２００、２００ａ、２００ｂを除去すること、および／またはＢＤＭ２００、２００ａ、２００ｂからバッテリ２０２を除去する必要なく、バッテリ２０２の再充電能力を提供してもよい。接触要素２２０、２２０ａは、接触パッドまたは充電ピンを含んでもよい。いくつかの実施例では、接触要素２２０、２２０ａは、ＢＤＭ２００、２００ａ、２００ｂから突出し、充電器９００と関連付けられる対応する接触パッドと整合してもよい。これらの実施例では、接触要素２２０、２２０ａは、ＢＤＭから突出し、充電器の接触パッドと接触すると後退するように、付勢（例えば、ばね付勢）されてもよい。他の実施例では、接触要素２２０、２２０ａは、ＢＤＭ２００、２００ａ、２００ｂの底面と実質的に同一平面である。代替として、接触要素２００、２００ａは、ＢＤＭ内に陥凹してもよく、外部充電器は、陥凹接触要素と噛合するようにＢＤＭの中へ延在するピンを含んでもよい。前述で説明されるように、いくつかの実施形態では、外部充電器９００は、バッテリ２０２を無線で充電してもよい。
【００７５】
いくつかの実施形態が、説明されている。それでもなお、本開示の精神および範囲から逸脱することなく、種々の修正が行われ得ることが理解されるであろう。したがって、他の実施形態も以下の請求項の範囲内である。
【図１】
2017521928.tif 000003
【図２Ａ】
2017521928.tif 000004
【図２Ｂ】
2017521928.tif 000005
【図３】
2017521928.tif 000006
【図４】
2017521928.tif 000007
【図５】
2017521928.tif 000008
【図６Ａ】
2017521928.tif 000009
【図６Ｂ】
2017521928.tif 000010
【図７】
2017521928.tif 000011
【図８Ａ】
2017521928.tif 000012
【図８Ｂ】
2017521928.tif 000013
【図８Ｃ】
2017521928.tif 000014
【図９】
2017521928.tif 000015
【図１０】
2017521928.tif 000016
【図１１】
2017521928.tif 000017
【図１２】
2017521928.tif 000018
【図１３】
2017521928.tif 000019
【図１４】
2017521928.tif 000020
【図１５】
2017521928.tif 000021
【図１６】
2017521928.tif 000022
【図１７】
2017521928.tif 000023
【図１８】
2017521928.tif 000024
【図１９】
2017521928.tif 000025
【図２０】
2017521928.tif 000026
【国際調査報告】
2017521928.tif 000027
2017521928.tif 000028